(57)【要約】【課題】機能部に水分が侵入することによる劣化が抑制されており、長寿命である蓄電デバイスを提供する。【解決手段】機能部１０Ａと、第１の樹脂部３１と、第１の外部電極１８と、第２の外部電極１９と、第２の樹脂部３２と、第３の樹脂部３３と、を備える。外装体１０Ｂは、機能部１０Ａの第１及び第２の主面並１０ａ１、１０ｂ１びに第１及び第２の側面１０ｃ１、１０ｄ１を覆っている。第１の樹脂部３１は、外装体１０Ｂと機能部１０Ａとの間に充填されている。第１の樹脂部３１は、機能部１０Ａ及び外装体１０Ａと共にデバイス本体１０を構成している。第１の外部電極１８は、第１の内部電極１１に接続されている。第２の外部電極１９は、第２の内部電極１２に接続されている。第２の樹脂部３２は、第１の外部電極１８とデバイス本体１０の間に充填されている。第３の樹脂部３３は、第２の外部電極１９とデバイス本体１０の間に充填されている。【選択図】図２
2019004101.tif 000002
【特許請求の範囲】
【請求項１】
長さ方向及び幅方向に沿って延びる第１及び第２の主面と、長さ方向及び厚み方向に沿って延びる第１及び第２の側面と、幅方向及び厚み方向に沿って延びる第１及び第２の端面とを有し、前記第１の端面に露出している第１の内部電極と、前記第２の端面に露出している第２の内部電極と、前記第１の内部電極と前記第２の内部電極との間に位置している電解質層とを含む機能部と、
前記機能部の前記第１及び第２の主面並びに第１及び第２の側面を覆う外装体と、
前記外装体と前記機能部との間に充填されており、前記機能部及び前記外装体と共にデバイス本体を構成している第１の樹脂部と、
前記デバイス本体の長さ方向における一方側端部を覆い、前記第１の内部電極に接続されている第１の外部電極と、
前記デバイス本体の長さ方向における他方側端部を覆い、前記第２の内部電極に接続されている第２の外部電極と、
前記第１の外部電極と前記デバイス本体の間に充填された第２の樹脂部と、
前記第２の外部電極と前記デバイス本体の間に充填された第３の樹脂部と、
を備える、蓄電デバイス。
【請求項２】
前記デバイス本体は、長さ方向及び幅方向に沿って延びる第１及び第２の主面と、長さ方向及び厚み方向に沿って延びる第１及び第２の側面と、幅方向及び厚み方向に沿って延びる第１及び第２の端面とを有し、
前記第１の外部電極は、
前記デバイス本体の前記第１及び第２の主面の長さ方向における一方側端部を覆う第１の部分と、
前記デバイス本体の前記第１及び第２の側面の長さ方向における一方側端部を覆う第２の部分と、
前記デバイス本体の前記第１の端面を覆う第３の部分と、
を有し、
前記第２の外部電極は、
前記デバイス本体の前記第１及び第２の主面の長さ方向における他方側端部を覆う第４の部分と、
前記デバイス本体の前記第１及び第２の側面の長さ方向における一方側端部を覆う第５の部分と、
前記デバイス本体の前記第２の端面を覆う第６の部分と、
を有し、
前記第２の樹脂部は、前記第１及び第２の部分のそれぞれと前記デバイス本体との間に充填されており、
前記第３の樹脂部は、前記第４及び第５の部分のそれぞれと前記デバイス本体との間に充填されている、請求項１に記載の蓄電デバイス。
【請求項３】
前記外装体は、
前記機能部を収容する溝を備える外装体本体と、
前記溝を覆う蓋と、
を有し、
前記第１の樹脂部は、前記外装体本体と前記機能部との間と、前記外装体本体と前記蓋との間とに位置しており、
前記第１の樹脂部の水分透過度をＰ１とし、
前記第１の樹脂部のうち、前記外装体本体と前記蓋との間に位置している部分の厚みをｔ１とし、
前記外装体本体の水分透過度をＰ２とし、
前記溝の深さをｔ２としたときに、
Ｐ１・ｔ１≦Ｐ２・ｔ２
である、請求項１又は２に記載の蓄電デバイス。
【請求項４】
前記第１の外部電極は、
第１の金属キャップと、
前記第１の金属キャップと前記第１の端面との間に配されており、前記第１の金属キャップと前記第１の内部電極とを電気的に接続している第１の導電性樹脂層と、
を有し、
前記第２の外部電極は、
第２の金属キャップと、
前記第２の金属キャップと前記第２の端面との間に配されており、前記第２の金属キャップと前記第２の内部電極とを電気的に接続している第２の導電性樹脂層と、
を有し、
前記第１の端面が前記第１の導電性樹脂層により覆われており、
前記第２の端面が前記第２の導電性樹脂層により覆われている、請求項１〜３のいずれか一項に記載の蓄電デバイス。
【請求項５】
前記第１の外部電極は、
前記第１の端面の上に、前記第１の内部電極に電気的に接続されるように設けられており、表面に凹凸を有する第１の電極膜と、
前記第１の電極膜の表面の凸部と接触することにより前記第１の電極膜と電気的に接続された第１の金属キャップと、
を有し、
前記第２の外部電極は、
前記第２の端面の上に、前記第２の内部電極に電気的に接続されるように設けられており、表面に凹凸を有する第２の電極膜と、
前記第２の電極膜の表面の凸部と接触することにより前記第２の電極膜と電気的に接続された第２の金属キャップと、
を有し、
前記第１の電極膜と前記第１の金属キャップとの間に前記第２の樹脂部が入り込んでいると共に、前記第２の電極膜と前記第２の金属キャップとの間に前記第３の樹脂部が入り込んでいる、請求項１〜３のいずれか一項に記載の蓄電デバイス。
【請求項６】
前記第１及び第２の外部電極のそれぞれの熱膨張率をα１とし、前記第２及び第３の樹脂部のそれぞれの熱膨張率をα２としたときに、
０．９・α２≦α１≦１．２・α２
である、請求項１〜５のいずれか一項に記載の蓄電デバイス。
【請求項７】
前記第１及び第２の外部電極のそれぞれがＣｕを含み、
前記第２及び第３の樹脂部のそれぞれが、エポキシ樹脂を含む、請求項６に記載の蓄電デバイス。
【請求項８】
前記第１〜第３の樹脂部のそれぞれは、無機フィラーを含む、請求項１〜７のいずれか一項に記載の蓄電デバイス。
【請求項９】
前記第１〜第３の樹脂部のそれぞれは、フェノール骨格を含むエポキシ樹脂を含む、請求項１〜８のいずれか一項に記載の蓄電デバイス。
【発明の詳細な説明】
【技術分野】
【０００１】
本発明は、蓄電デバイスに関する。
【背景技術】
【０００２】
従来、電気二重層コンデンサや二次電池などの蓄電デバイスが種々知られている。例えば特許文献１には、蓄電デバイスの一例が記載されている。
【先行技術文献】
【特許文献】
【０００３】
【特許文献１】国際公開第２０１６／０３１２７０号
【発明の概要】
【発明が解決しようとする課題】
【０００４】
特許文献１には、電気二重層コンデンサ等の蓄電デバイスの素子が、水分により劣化しやすいことが記載されている。
【０００５】
本発明の主な目的は、機能部に水分が侵入することによる劣化が抑制されており、長寿命である蓄電デバイスを提供することにある。
【課題を解決するための手段】
【０００６】
本発明に係る蓄電デバイスは、機能部と、第１の樹脂部と、第１の外部電極と、第２の外部電極と、第２の樹脂部と、第３の樹脂部と、を備える。機能部は、第１及び第２の主面と、第１及び第２の側面と、第１及び第２の端面と、第１の内部電極と、第２の内部電極と、電解質層とを有する。第１及び第２の主面は、長さ方向及び幅方向に沿って延びる。第１及び第２の側面は、長さ方向及び厚み方向に沿って延びている。第１及び第２の端面は、幅方向及び厚み方向に沿って延びている。第１の内部電極は、第１の端面に露出している。第２の内部電極は、第２の端面に露出している。電解質層は、第１の内部電極と第２の内部電極との間に位置している。外装体は、機能部の第１及び第２の主面並びに第１及び第２の側面を覆っている。第１の樹脂部は、外装体と機能部との間に充填されている。第１の樹脂部は、機能部及び外装体と共にデバイス本体を構成している。第１の外部電極は、デバイス本体の長さ方向における一方側端部を覆っている。第１の外部電極は、第１の内部電極に接続されている。第２の外部電極は、デバイス本体の長さ方向における他方側端部を覆っている。第２の外部電極は、第２の内部電極に接続されている。第２の樹脂部は、第１の外部電極とデバイス本体の間に充填されている。第３の樹脂部は、第２の外部電極とデバイス本体の間に充填されている。
【０００７】
本発明に係る蓄電デバイスでは、外装体が第１及び第２の主面並びに第１及び第２の側面を覆っており、第１及び第２の端面を覆っていない。かつ、その露出した第１及び第２の端面が第１又は第２の外部電極により覆われている。このため、外部電極とデバイス本体との間と、外装体と機能部との間とが機能部への水分の侵入経路となり得る。本発明に係る蓄電デバイスでは、この水分の侵入経路となり得る外部電極とデバイス本体との間に第２及び第３の樹脂部が設けられており、機能部と外装体との間に第１の樹脂部が充填されている。このため、外部電極とデバイス本体との間と、外装体と機能部との間とを経由して機能部に水分が侵入することが抑制されている。従って、機能部に水分が侵入することが効果的に抑制されている。よって、本発明に係る蓄電デバイスは、長寿命である。
【０００８】
本発明に係る蓄電デバイスでは、デバイス本体は、長さ方向及び幅方向に沿って延びる第１及び第２の主面と、長さ方向及び厚み方向に沿って延びる第１及び第２の側面と、幅方向及び厚み方向に沿って延びる第１及び第２の端面とを有し、第１の外部電極は、デバイス本体の第１及び第２の主面の長さ方向における一方側端部を覆う第１の部分と、デバイス本体の第１及び第２の側面の長さ方向における一方側端部を覆う第２の部分と、デバイス本体の第１の端面を覆う第３の部分とを有し、第２の外部電極は、デバイス本体の第１及び第２の主面の長さ方向における他方側端部を覆う第４の部分と、デバイス本体の第１及び第２の側面の長さ方向における一方側端部を覆う第５の部分と、デバイス本体の第２の端面を覆う第６の部分とを有し、第２の樹脂部は、第１及び第２の部分のそれぞれとデバイス本体との間に充填されており、第３の樹脂部は、第４及び第５の部分のそれぞれとデバイス本体との間に充填されていることが好ましい。
【０００９】
本発明に係る蓄電デバイスでは、外装体は、機能部を収容する溝を備える外装体本体と、溝を覆う蓋とを有し、第１の樹脂部は、外装体本体と機能部との間と、外装体本体と蓋との間とに位置しており、第１の樹脂部の水分透過度をＰ１とし、第１の樹脂部のうち、外装体本体と蓋との間に位置している部分の厚みをｔ１とし、外装体本体の水分透過度をＰ２とし、溝の深さをｔ２としたときに、Ｐ１・ｔ１≦Ｐ２・ｔ２であることが好ましい。
【００１０】
本発明に係る蓄電デバイスでは、第１の外部電極は、第１の金属キャップと、第１の金属キャップと第１の端面との間に配されており、第１の金属キャップと第１の内部電極とを電気的に接続している第１の導電性樹脂層とを有し、第２の外部電極は、第２の金属キャップと、第２の金属キャップと第２の端面との間に配されており、第２の金属キャップと第２の内部電極とを電気的に接続している第２の導電性樹脂層とを有し、第１の端面が第１の導電性樹脂層により覆われており、第２の端面が第２の導電性樹脂層により覆われていてもよい。
【００１１】
本発明に係る蓄電デバイスでは、第１の外部電極は、第１の端面の上に、第１の内部電極に電気的に接続されるように設けられており、表面に凹凸を有する第１の電極膜と、第１の電極膜の表面の凸部と接触することにより第１の電極膜と電気的に接続された第１の金属キャップとを有し、第２の外部電極は、第２の端面の上に、第２の内部電極に電気的に接続されるように設けられており、表面に凹凸を有する第２の電極膜と、第２の電極膜の表面の凸部と接触することにより第２の電極膜と電気的に接続された第２の金属キャップとを有し、第１の電極膜と第１の金属キャップとの間に第２の樹脂部が入り込んでいると共に、第２の電極膜と第２の金属キャップとの間に第３の樹脂部が入り込んでいてもよい。
【００１２】
本発明に係る蓄電デバイスでは、第１及び第２の外部電極のそれぞれの熱膨張率をα１とし、第２及び第３の樹脂部のそれぞれの熱膨張率をα２としたときに、０．９・α２≦α１≦１．２・α２であることが好ましい。
【００１３】
本発明に係る蓄電デバイスでは、第１及び第２の外部電極のそれぞれがＣｕを含み、第２及び第３の樹脂部のそれぞれが、エポキシ樹脂を含むことが好ましい。
【００１４】
本発明に係る蓄電デバイスでは、第１〜第３の樹脂部のそれぞれは、無機フィラーを含むことが好ましい。
【００１５】
本発明に係る蓄電デバイスでは、第１〜第３の樹脂部のそれぞれは、フェノール骨格を含むエポキシ樹脂を含むことが好ましい。
【発明の効果】
【００１６】
本発明によれば、機能部に水分が侵入することによる劣化が抑制されており、長寿命である蓄電デバイスを提供することができる。
【図面の簡単な説明】
【００１７】
【図１】第１の実施形態に係る蓄電デバイスの模式的斜視図である。
【図２】図１の線ＩＩ−ＩＩにおける模式的断面図である。
【図３】図２の線ＩＩＩ−ＩＩＩにおける模式的断面図である。
【図４】第２の実施形態に係る蓄電デバイスの一部分の模式的断面図である。
【発明を実施するための形態】
【００１８】
以下、本発明を実施した好ましい形態の一例について説明する。但し、下記の実施形態は、単なる例示である。本発明は、下記の実施形態に何ら限定されない。
【００１９】
また、実施形態等において参照する各図面において、実質的に同一の機能を有する部材は同一の符号で参照することとする。また、実施形態等において参照する図面は、模式的に記載されたものである。図面に描画された物体の寸法の比率などは、現実の物体の寸法の比率などとは異なる場合がある。図面相互間においても、物体の寸法比率等が異なる場合がある。具体的な物体の寸法比率等は、以下の説明を参酌して判断されるべきである。      
【００２０】
（第１の実施形態）
図１は、本実施形態に係る蓄電デバイスの模式的斜視図である。図２は、図１の線ＩＩ−ＩＩにおける模式的断面図である。図３は、図２の線ＩＩＩ−ＩＩＩにおける模式的断面図である。
【００２１】
図１〜図３に示す蓄電デバイス１は、例えば、電気二重層コンデンサや、二次電池を構成するデバイスである。
【００２２】
蓄電デバイス１は、デバイス本体１０を備えている。図２及び図３に示すように、デバイス本体１０は、機能部１０Ａと、外装体１０Ｂとを有する。
【００２３】
機能部１０Ａは、少なくとも一部が蓄電デバイスとしての機能を発現する部分である。機能部１０Ａは、直方体状に設けられている。機能部１０Ａは、第１及び第２の主面１０ａ１，１０ｂ１と、第１及び第２の側面１０ｃ１，１０ｄ１（図３を参照。）と、第１及び第２の端面１０ｅ１、１０ｆ１（図２を参照。）とを有する。第１及び第２の主面１０ａ１，１０ｂ１は、長さ方向Ｌ及び幅方向Ｗに沿って延びている。第１の主面１０ａ１と第２の主面１０ｂ１とは、厚み方向Ｔにおいて対向している。図３に示すように、第１及び第２の側面１０ｃ１、１０ｄ１は、長さ方向Ｌ及び厚み方向Ｔに沿って延びている。第１の側面１０ｃ１と第２の側面１０ｄ１とは、幅方向Ｗにおいて対向している。図２に示すように、第１及び第２の端面１０ｅ１、１０ｆ１は、幅方向Ｗ及び厚み方向Ｔに沿って延びている。第１の端面１０ｅ１と第２の端面１０ｆ１とは、長さ方向Ｌにおいて対向している。
【００２４】
なお、本発明において、「直方体状」には、角部や稜線部が、面取り状や丸められた形状を有する直方体状が含まれるものとする。
【００２５】
機能部１０Ａは、第１の内部電極１１と、第２の内部電極１２と、電解質層１３とを有する。
【００２６】
第１の内部電極１１は、長さ方向Ｌ及び幅方向Ｗに沿って延びている。第１の内部電極１１は、第１及び第２の主面１０ａ１，１０ｂ１と平行に設けられている。第１の内部電極１１は、第１の端面１０ｅ１に引き出されている一方、第１及び第２の側面１０ｃ１，１０ｄ１並びに第２の端面１０ｆ１には引き出されていない。第１の内部電極１１は、第１の端面１０ｅ１に露出している。
【００２７】
第１の内部電極１１は、第１の集電体１１ａと、第１の活物質層１１ｂとを有する。
【００２８】
第１の集電体１１ａは、例えば、アルミニウム、銅等の少なくとも一種の金属からなる金属箔等により構成することができる。
【００２９】
第１の集電体１１ａの一方側の表面の上には、第１の活物質層１１ｂが設けられている。第１の活物質層１１ｂは、活物質を含む。蓄電デバイス１が電気二重層コンデンサを構成している場合には、第１の活物質層１１ｂは、分極性電極を構成している。蓄電デバイス１が電気二重層コンデンサを構成している場合は、分極性電極としての第１の活物質層１１ｂは、例えば、活性炭などの炭素材料を活物質として含んでいることが好ましい。
【００３０】
第２の内部電極１２は、長さ方向Ｌ及び幅方向Ｗに沿って延びている。第２の内部電極１２は、第１及び第２の主面１０ａ１，１０ｂ１と平行に設けられている。第２の内部電極１２は、第２の端面１０ｆ１に引き出されている一方、第１及び第２の側面１０ｃ１，１０ｄ１並びに第１の端面１０ｅ１には引き出されていない。第２の内部電極１２は、第２の端面１０ｆ１に露出している。第２の内部電極１２は、第１の内部電極１１に対して厚み方向Ｔに積層されている。第２の内部電極１２の第２の端面１０ｆ１側端部を除いた部分は、第１の内部電極１１の第１の端面１０ｅ１側端部を除いた部分と厚み方向Ｔにおいて対向している。
【００３１】
第２の内部電極１２は、第２の集電体１２ａと、第２の活物質層１２ｂとを有する。
【００３２】
第２の集電体１２ａは、例えば、アルミニウム、銅等の少なくとも一種の金属からなる金属箔により構成することができる。
【００３３】
第２の活物質層１２ｂは、第２の集電体１２ａの第１の内部電極１１側表面上に設けられている。従って、第２の活物質層１２ｂは、第１の活物質層１１ｂと厚み方向Ｔにおいて対向している。第２の活物質層１２ｂは、活物質を含む。蓄電デバイス１が電気二重層コンデンサを構成している場合には、第２の活物質層１２ｂは、分極性電極を構成している。蓄電デバイス１が電気二重層コンデンサを構成している場合は、分極性電極としての第２の活物質層１２ｂは、例えば、活性炭などの炭素材料を活物質として含んでいることが好ましい。
【００３４】
第１の内部電極１１の第１の活物質層１１ｂと、第２の内部電極１２の第２の活物質層１２ｂとの間には、電解質層１３が設けられている。電解質層１３は、電解質を含む層である。電解質層１３は、ゲル状の電解質であるゲル電解質により構成されていてもよいし、電解液が含浸したセパレータ等の多孔質体により構成されていてもよい。ゲル電解質の具体例としては、例えば、電解質を含む高分子ポリエチレンオキサイド等が挙げられる。
【００３５】
電解質の具体例としては、例えば、ＥＭＩＴＦＳＩ（１−エチル−３−メチルイミダゾリウムビス（トリフルオロメタンスルホニル）イミド）、ＥＭＩＢＦ４（ホウフッ化１−エチル−３−メチルイミダゾリウム）等のイオン性液体、または、そのイオン性液体をプロピレンカーボネート、アセトニトリル等の有機溶媒に溶解させたもの等が挙げられる。これらの電解質のうちの１種のみを用いてもよいし、複数種類を混合して用いてもよい。
【００３６】
具体的には、本実施形態では、電解質層１３は、第１の電解質層１３ａと、第２の電解質層１３ｂとを有する。第１の電解質層１３ａは、第１の活物質層１１ｂの上に設けられている。一方、第２の電解質層１３ｂは、第２の活物質層１２ｂの上に設けられている。第１の電解質層１３ａと第２の電解質層１３ｂとは、電解質が相互に移動可能なように接触している。第１の電解質層１３ａと第２の電解質層１３ｂとは、密着していることが好ましい。
【００３７】
具体的には、本実施形態では、図２に示すように、第１の内部電極１１のうち、第１の集電体１１ａのみが第１の端面１０ｅ１に露出している。第２の内部電極１２のうち、第２の集電体１２ａのみが第２の端面１０ｆ１に露出している。第１の内部電極１１の第１の活物質層１１ｂ、第２の内部電極１２の第２の活物質層１２ｂ及び電解質層１３は、第１及び第２の端面１０ｅ１、１０ｆ１に露出していない。
【００３８】
第１及び第２の活物質層１１ｂ、１２ｂ並びに電解質層１３と第１及び第２の端面１０ｅ１、１０ｆ１のそれぞれとの間には、絶縁層１５が設けられている。具体的には、絶縁層１５は、第１の絶縁層１５ａと、第２の絶縁層１５ｂとを有する。第１の絶縁層１５ａにより、第１の活物質層１１ｂ及び第１の電解質層１３ａが第１及び第２の端面１０ｅ１、１０ｆ１のそれぞれから隔離されている。第２の絶縁層１５ｂにより、第２の活物質層１２ｂ及び第２の電解質層１３ｂが第１及び第２の端面１０ｅ１、１０ｆ１のそれぞれから隔離されている。
【００３９】
また、図３に示すように、絶縁層１５は、第１及び第２の活物質層１１ｂ、１２ｂ並びに第１及び第２の電解質層１３ａ、１３ｂと、第１の側面１０ｃ１及び第２の側面１０ｄ１のそれぞれとを隔離するように設けられている。具体的には、第１の絶縁層１５ａにより、第１の活物質層１１ｂ及び第１の電解質層１３ａと第１及び第２の側面１０ｄ１のそれぞれとが隔離されている。すなわち、第１の絶縁層１５ａは、第１の活物質層１１ｂ及び第１の電解質層１３ａの第１及び第２の端面１０ｅ１、１０ｆ１側並びに第１及び第２の側面１０ｃ１，１０ｄ１側を覆うように設けられている。一方、第２の絶縁層１５ｂは、第２の活物質層１２ｂ及び第２の電解質層１３ｂと第１及び第２の側面１０ｃ１，１０ｄ１のそれぞれとを隔離している。すなわち、第２の絶縁層１５ｂは、第２の活物質層１２ｂ及び第２の電解質層１３ｂの第１及び第２の端面１０ｅ１、１０ｆ１側並びに第１及び第２の側面１０ｃ１，１０ｄ１側を覆うように設けられている。
【００４０】
なお、絶縁層１５は、例えば、ウレタン樹脂、アクリル樹脂、エポキシ樹脂、ポリイミド樹脂、シリコーン樹脂等により構成することができる。
【００４１】
本実施形態の蓄電デバイス１では、一対の第１及び第２の内部電極１１，１２、電解質層１３並びに絶縁層１５がひとつの蓄電ユニット１７を構成している。蓄電デバイス１では、蓄電ユニット１７が複数積層されており、この複数の蓄電ユニット１７の積層体が機能部１０Ａを構成している。なお、積層方向Ｔにおいて隣り合う蓄電ユニット１７は、接着層１６により接着されている。
【００４２】
もっとも、本発明は、上記構成に限定されない。例えば、本発明に係る蓄電デバイスは、蓄電ユニットをひとつのみ有していてもよい。蓄電ユニットは、電解質層を挟持する複数対の第１及び第２の内部電極１１，１２の積層体により構成されていてもよい。
【００４３】
機能部１０Ａの外側には、外装体１０Ｂが設けられている。この外装体１０Ｂは、機能部１０Ａへの水分等の侵入を抑制する機能や、機能部１０Ａからの電解液の漏洩を抑制する機能を有している。外装体１０Ｂは、後述する第１〜第３の樹脂部３１，３２，３３よりも低い水分透過度を有している。換言すれば、外装体１０Ｂは、第１〜第３の樹脂部３１，３２，３３よりも高い水分バリア性を有する。
【００４４】
外装体１０Ｂは、機能部１０Ａの少なくとも一部を覆っている。具体的には、外装体１０Ｂは、機能部１０Ａの第１及び第２の主面１０ａ１，１０ｂ１並びに第１及び第２の側面１０ｃ１，１０ｄ１を覆うように設けられている。機能部１０Ａの第１及び第２の端面１０ｅ１、１０ｆ１は、外装体１０Ｂから露出している。
【００４５】
この外装体１０Ｂと機能部１０Ａと後述する第１の樹脂部３１とにより構成されたデバイス本体１０は、直方体状である。デバイス本体１０は、長さ方向Ｌ及び幅方向Ｗに沿って延びる第１及び第２の主面１０ａ２，１０ｂ２と、長さ方向Ｌ及び厚み方向Ｔに沿って延びる第１及び第２の側面１０ｃ２，１０ｄ２（図３を参照）と、幅方向Ｗ及び厚み方向Ｔに沿って延びる第１及び第２の端面１０ｅ２，１０ｆ２とを有する。第１の端面１０ｅ２の少なくとも一部は第１の端面１０ｅ１により構成されている。第２の端面１０ｆ２の少なくとも一部は、第２の端面１０ｆ１により構成されている。
【００４６】
図３に示すように、外装体１０Ｂは、外装体本体１０Ｂ１と、蓋１０Ｂ２とを備えている。外装体本体１０Ｂ１は、底壁部１０Ｂ１１と、第１の側壁部１０Ｂ１２と、第２の側壁部１０Ｂ１３とを有する。底壁部１０Ｂ１１は、機能部１０Ａの第２の主面１０ｂ１を覆っている。第１の側壁部１０Ｂ１２は、底壁部１０Ｂ１１の幅方向Ｗにおける一方側端部から厚み方向Ｔにおける第１の主面１０ａ１側に向かって延びている。第１の側壁部１０Ｂ１２は、機能部１０Ａの第１の側面１０ｃ１を覆っている。第２の側壁部１０Ｂ１３は、底壁部１０Ｂ１１の幅方向Ｗにおける他方側端部から厚み方向Ｔにおける第１の主面１０ａ１側に向かって延びている。第２の側壁部１０Ｂ１３は、機能部１０Ａの第２の側面１０ｄ１を覆っている。このように、底壁部１０Ｂ１１と、第１の側壁部１０Ｂ１２と、第２の側壁部１０Ｂ１３とにより、溝が形成されている。この溝内に、機能部１０Ａが収容されている。
【００４７】
蓋１０Ｂ２は、外装体本体１０Ｂ１の溝の上面を閉口するように設けられている。蓋１０Ｂ２は、機能部１０Ａの第１の主面１０ａ１を覆うように設けられている。
【００４８】
外装体１０Ｂと機能部１０Ａとの間には、第１の樹脂部３１が設けられている。
【００４９】
具体的には、第１の樹脂部３１は、外装体本体１０Ｂ１と機能部１０Ａとの間に充填されていると共に、外装体本体１０Ｂ１と蓋１０Ｂ２との間に位置している。この第１の樹脂部３１によって、外装体本体１０Ｂ１と蓋１０Ｂ２とが接着されている。
【００５０】
図２に示すように、第１の端面１０ｅ１、１０ｅ２の上には、第１の内部電極１１に電気的に接続された第１の外部電極１８が設けられている。第１の外部電極１８は、第１の電極膜１８ａと、第１の導電性樹脂層１８ｂと、第１の金属キャップ１８ｃとを有する。
【００５１】
第１の端面１０ｅ１、１０ｅ２の上には、第１の電極膜１８ａが設けられている。この第１の電極膜１８ａにより、第１の端面１０ｅ１、１０ｅ２の実質的に全体が覆われている。
【００５２】
第１の電極膜１８ａは、溶射膜により構成されていてもよい。第１の電極膜１８ａは、例えば、Ａｌ、Ｃｕ、Ａｌ−Ｓｉからなる群から選ばれた少なくとも一種の金属により構成することができる。
【００５３】
第１の金属キャップ１８ｃは、第１〜第３の部分１８ｃ１、１８ｃ２、１８ｃ３を有する。
【００５４】
第１の部分１８ｃ１は、デバイス本体１０の第１及び第２の主面１０ａ２、１０ｂ２の長さ方向Ｌにおける一方側端部（第１の端面１０ｅ２側の部分）を覆っている。
【００５５】
第２の部分１８ｃ２は、デバイス本体１０の第１及び第２の側面１０ｃ２、１０ｄ２の長さ方向Ｌにおける一方側端部（第１の端面１０ｆ２側の部分）を覆っている。
【００５６】
第３の部分１８ｃ３は、デバイス本体１０の第１の端面１０ｅ２を覆っている。
【００５７】
第１の金属キャップ１８ｃと第１の電極膜１８ａとの間には、第１の導電性樹脂層１８ｂが設けられている。この第１の導電性樹脂層１８ｂにより、第１の金属キャップ１８ｃと第１の電極膜１８ａとが電気的に接続されている。
【００５８】
第１の金属キャップ１８ｃは、例えば、アロイ（Ｆｅ−４２Ｎｉ合金）を含む母材やアルミニウム又はアルミニウム合金からなる母材と、銅又は銅合金からなる母材、母材の外表面を覆うＮｉ／Ａｇめっき又はＮｉ／Ａｕめっきとにより構成することができる。
【００５９】
第１の金属キャップ１８ｃとデバイス本体１０との間には、第２の樹脂部３２が設けられている。具体的には、第２の樹脂部３２は、デバイス本体１０と、第１及び第２の部分１８ｃ１、１８ｃ２との間に充填されている。この第２の樹脂部３２によりデバイス本体１０と第１の金属キャップ１８ｃとが接着されている。
【００６０】
第２の端面１０ｆ１、１０ｆ２の上には、第２の内部電極１２に電気的に接続された第２の外部電極１９が設けられている。この第２の外部電極１９と上記第１の外部電極１８とにより機能部１０Ａの外装体１０Ｂからの露出部が覆われている。第２の外部電極１９は、第２の電極膜１９ａと、第２の導電性樹脂層１９ｂと、第２の金属キャップ１９ｃとを有する。
【００６１】
第２の端面１０ｆ１、１０ｆ２の上には、第２の電極膜１９ａが設けられている。この第２の電極膜１９ａにより、第２の端面１０ｆ１、１０ｆ２の実質的に全体が覆われている。
【００６２】
第２の電極膜１９ａは、溶射膜により構成されていてもよい。第２の電極膜１９ａは、例えば、Ａｌ、Ｃｕ、Ａｌ−Ｓｉからなる群から選ばれた少なくとも一種の金属により構成することができる。
【００６３】
第２の金属キャップ１９ｃは、第４〜第６の部分１９ｃ１、１９ｃ２、１９ｃ３を有する。
【００６４】
第４の部分１９ｃ１は、デバイス本体１０の第１及び第２の主面１０ａ２、１０ｂ２の長さ方向Ｌにおける他方側端部（第２の端面１０ｆ２側の部分）を覆っている。
【００６５】
第５の部分１９ｃ２は、デバイス本体１０の第１及び第２の側面１０ｃ２、１０ｄ２の長さ方向Ｌにおける他方側端部（第２の端面１０ｆ２側の部分）を覆っている。
【００６６】
第６の部分１９ｃ３は、デバイス本体１０の第２の端面１０ｆ２を覆っている。
【００６７】
第２の金属キャップ１９ｃと第２の電極膜１９ａとの間には、第２の導電性樹脂層１９ｂが設けられている。この第２の導電性樹脂層１９ｂにより、第２の金属キャップ１９ｃと第２の電極膜１９ａとが電気的に接続されている。
【００６８】
第２の金属キャップ１９ｃは、例えば、アロイ（Ｆｅ−４２Ｎｉ合金）を含む母材やアルミニウム又はアルミニウム合金からなる母材と、銅又は銅合金からなる母材、母材の外表面を覆うＮｉ／Ａｇめっき又はＮｉ／Ａｕめっきとにより構成することができる。
【００６９】
第２の金属キャップ１９ｃとデバイス本体１０との間には、第３の樹脂部３３が設けられている。具体的には、第３の樹脂部３３は、デバイス本体１０と、第４及び第５の部分１９ｃ１、１９ｃ２との間に充填されている。この第３の樹脂部３３により、デバイス本体１０と第２の金属キャップ１９ｃとが接着されている。
【００７０】
以上説明したように、蓄電デバイス１では、第１及び第２の外部電極１８，１９とデバイス本体１０との間に第２及び第３の樹脂部３１，３２が充填されている。このため、デバイス本体１０と第１及び第２の外部電極１８，１９のそれぞれとの間の隙間から、水分が、金属キャップ１８ｃ、１９ｃとデバイス本体１０との間に浸入することを抑制することができる。さらに、金属キャップ１８ｃ、１９ｃとデバイス本体１０との間に水分が侵入したとしても、外装体１０Ｂと機能部１０Ａとの間に第１の樹脂部３１が充填されているため、その水分が機能部１０Ａにまで至ることが効果的に抑制されている。従って、蓄電デバイス１では、機能部１０Ａに水分が侵入しにくい。よって、蓄電デバイス１では、機能部１０Ａの水分による劣化が抑制されており、蓄電デバイス１は、長い寿命を有する。
【００７１】
蓄電デバイス１では、外装体本体１０Ｂ１と蓋１０Ｂ２との間の隙間に、第１の樹脂部３１が充填されている。ここで、
Ｐ１：第１の樹脂部３１の水分透過度、
ｔ１：第１の樹脂部３１のうち、外装体本体１０Ｂ１と蓋１０Ｂ２との間に位置している部分の厚み、
Ｐ２：外装体本体１０Ｂ１の水分透過度、
ｔ２：外装体本体１０Ｂ１の溝の深さ、
としたときに、
Ｐ１・ｔ１≦Ｐ２・ｔ２
であることが好ましく、
Ｐ１・ｔ１≦０．５・Ｐ２・ｔ２
であることがより好ましく、
Ｐ１・ｔ１≦０．０５・Ｐ２・ｔ２
であることがさらに好ましい。この場合、外装体本体１０Ｂ１と蓋１０Ｂ２との間の隙間から水分が浸入し、機能部１０Ａが劣化することをより効果的に抑制することができる。よって、デバイス本体１０が水分により劣化することをより効果的に抑制することができる。従って、より劣化し難く、より長寿命である蓄電デバイス１を提供することができる。
【００７２】
蓄電デバイス１では、第１及び第２の外部電極１８，１９のそれぞれの熱膨張率をα１とし、第２及び第３の樹脂部３２，３３のそれぞれの熱膨張率をα２としたときに、
０．９・α２≦α１≦１．２・α２
であることが好ましい。この場合、蓄電デバイス１をリフロー実装する際などにおいて蓄電デバイス１熱が加わっても、デバイス本体１０と金属キャップ１８ｃ、１９ｃとの熱膨張量が大きく異なることを抑制することができる。このため、金属キャップ１８ｃ、１９ｃがデバイス本体１０から剥離することを抑制することができる。よって、機能部１０Ａに水分が浸入することをより抑制することができる。従って、蓄電デバイス１は、より劣化し難く、より長寿命である。
【００７３】
第１〜３の樹脂部３１，３２，３３の水分透過度をより低くする観点からは、第１〜第３の樹脂部３１，３２，３３のそれぞれが、エポキシ樹脂を含むことが好ましく、フェノール骨格を有するエポキシ樹脂を含むことがより好ましい。なお、フェノール骨格を有するエポキシ樹脂は、フェノール系硬化剤を含むエポキシ樹脂を硬化させることにより得られる。
【００７４】
同様の観点から、第１〜第３の樹脂部３１，３２，３３のそれぞれが、無機フィラーを含むことが好ましい。好ましく用いられる無機フィラーの具体例としては、酸化アルミニウム、酸化ケイ素、酸化チタン、酸化マグネシウム酸化ジルコニウム、ジルコン、炭化ケイ素、リン酸アルミニウム、窒化アルミニウム、窒化ケイ素、ステアタイト、コージライト、ムライト及びサイアロン等が挙げられる。これらの無機フィラーのうちの１種のみを用いてもよいし、複数種類の無機フィラーを混合して用いてもよい。
【００７５】
以下、本発明の好ましい実施形態の他の例について説明する。以下の説明において、上記第１の実施形態と実質的に共通の機能を有する部材を共通の符号で参照し、説明を省略する。
【００７６】
（第２の実施形態）
図４は、第２の実施形態に係る蓄電デバイス１ａの一部分の模式的断面図である。第１の実施形態では、デバイス本体１０の端面１０ｅ２と第１の金属キャップ１８ｃとの間に第１の導電性樹脂層１８ｂが設けられており、デバイス本体１０の端面１０ｆ２と第２の金属キャップ１９ｃとの間に、第２の導電性樹脂層１９ｂが設けられている例について説明した。しかし、本発明はこの構成に限定されない。
【００７７】
図４に示すように、蓄電デバイス１ａでは、第１の電極膜１８ａと第１の金属キャップ１８ｃとの間に、第１の導電性樹脂層１８ｂが設けられていない。すなわち、第１の電極膜１８ａと第１の金属キャップ１８ｃとが直接接触している。第２の電極膜１９ａと第２の金属キャップ１９ｃとの間に、第２の導電性樹脂層１９ｂが設けられていない。すなわち、第２の電極膜１９ａと第２の金属キャップ１９ｃとが直接接触している。
【００７８】
具体的には、第１の電極膜１８ａは、表面に凹凸を有している。この凹凸の凸部と、第１の金属キャップ１８ｃとが接触することにより、第１の電極膜１８ａと第１の金属キャップ１８ｃとが電気的に接続されている。
【００７９】
第１の電極膜１８ａと第１の金属キャップ１８ｃとの間には、第２の樹脂部３２が充填されている。
【００８０】
同様に、第２の電極膜１９ａは、表面に凹凸を有している。この凹凸の凸部と、第２の金属キャップ１９ｃとが接触することにより、第２の電極膜１９ａと第２の金属キャップ１９ｃとが電気的に接続されている。
【００８１】
第２の電極膜１９ａと第２の金属キャップ１９ｃとの間には、第３の樹脂部３３が充填されている。
【００８２】
このように、電極膜１８ａ、１９ａと金属キャップ１８ｃ、１９ｃとの間に樹脂部３２，３３を設けることにより、機能部１０Ａ内への水分の侵入をより効果的に抑制することができる。
【００８３】
機能部１０Ａ内への水分の侵入をより効果的に抑制する観点からは、樹脂部３２，３３の水分透過度が、導電性樹脂層１８ｂ、１９ｂの水分透過度より低いことが好ましく、導電性樹脂層１８ｂ、１９ｂの水分透過度の０．１倍以下であることがより好ましく、０．０１倍以下であることがさらに好ましい。
【符号の説明】
【００８４】
１、１ａ    ：蓄電デバイス
１０        ：デバイス本体
１０Ａ      ：機能部
１０ａ１    ：第１の主面
１０ｂ１    ：第２の主面
１０ｃ１    ：第１の側面
１０ｄ１    ：第２の側面
１０ｅ１    ：第１の端面
１０ｆ１    ：第２の端面
１０Ｂ      ：外装体
１０ａ２    ：第１の主面
１０ｂ２    ：第２の主面
１０ｃ２    ：第１の側面
１０ｄ２    ：第２の側面
１０ｅ２    ：第１の端面
１０ｆ２    ：第２の端面
１０Ｂ１    ：外装体本体
１０Ｂ１１  ：底壁部
１０Ｂ１２  ：第１の側壁部
１０Ｂ１３  ：第２の側壁部
１０Ｂ２    ：蓋
１１        ：第１の内部電極
１１ａ      ：第１の集電体
１１ｂ      ：第１の活物質層
１２        ：第２の内部電極
１２ａ      ：第２の集電体
１２ｂ      ：第２の活物質層
１３        ：電解質層
１３ａ      ：第１の電解質層
１３ｂ      ：第２の電解質層
１５        ：絶縁層
１５ａ      ：第１の絶縁層
１５ｂ      ：第２の絶縁層
１６        ：接着層
１７        ：蓄電ユニット
１８        ：第１の外部電極
１８ａ      ：第１の電極膜
１８ｂ      ：第１の導電性樹脂層
１８ｃ      ：第１の金属キャップ
１８ｃ１    ：第１の部分
１８ｃ２    ：第２の部分
１８ｃ３    ：第３の部分
１９        ：第２の外部電極
１９ａ      ：第２の電極膜
１９ｂ      ：第２の導電性樹脂層
１９ｃ      ：第２の金属キャップ
１９ｃ１    ：第４の部分
１９ｃ２    ：第５の部分
１９ｃ３    ：第６の部分
３１        ：第１の樹脂部
３２        ：第２の樹脂部
３３        ：第３の樹脂部
【図１】
2019004101.tif 000003
【図２】
2019004101.tif 000004
【図３】
2019004101.tif 000005
【図４】
2019004101.tif 000006